(57)【要約】      （修正有）【課題】ロール紙輪転印刷機の中へ被印刷物ウェブを引き込むための引込先端部を提供する。【解決手段】被印刷物ウェブ２の引込みにおいて、印刷機１のスリッターの中で少なくとも２つの部分被印刷物ウェブ２ａ，２ｂに分離される被印刷物ウェブ２を引き込むための引込先端部３００が、被印刷物ウェブの縦端部に接続可能である第１の接続区間３１０と、印刷機の被印刷物ウェブ引込配列１００に接続可能である第２の接続区間３２０とを有する。前記引込先端部は、該引込先端部が少なくとも２つの部分被印刷物ウェブのそれぞれ一方該部分に被印刷物ウェブを引き込むために割り当てられている少なくとも２つの引込先端部要素３３０，３４０と、前記引込先端部要素が接続装置に作用する、部分被印刷物ウェブの相対運動から相対して生じる所定の引張力によって互いに分離可能であるように該引込先端部要素を相互に接続する接続装置３５０とを有することを特徴とする。【選択図】図２
0003148153.tif 000002
【実用新案登録請求の範囲】
【請求項１】
ロール紙輪転印刷機（１）の中へ被印刷物ウェブ（２）を引き込むための引込先端部（３００）において、前記被印刷物ウェブ（２）が前記ロール紙輪転印刷機（１）のスリッター（２００）の中で少なくとも２つの部分被印刷物ウェブ（２ａ、２ｂ）に分離され、前記引込先端部（３００）が前記被印刷物ウェブ（２）の縦端部（２１）に接続可能である第１の接続区間（３１０）と、前記ロール紙輪転印刷機（１）の被印刷物ウェブ引込配列（１００）に接続可能である第２の接続区間（３２０）とを有する引込先端部であって、
前記引込先端部（３００）が少なくとも２つの部分被印刷物ウェブ（２ａ、２ｂ）のそれぞれ一方に該部分被印刷物ウェブを引き込むために割り当てられている少なくとも２つの引込先端部要素（３３０、３４０）と、前記引込先端部要素（３３０、３４０）が接続装置（３５０）に作用する、前記部分被印刷物ウェブ（２ａ、２ｂ）の相対運動から相対して生じる所定の引張力によって互いに分離可能であるように前記引込先端部要素（３３０、３４０）を相互に接続する接続装置（３５０）とを有することを特徴とする引込先端部。
【請求項２】
両方の部分被印刷物ウェブ（２ａ、２ｂ）のウェブガイド路が前記ロール紙輪転印刷機（１）の中で分離されるとき、前記引込先端部要素（３３０、３４０）がその際に前記接続装置（３５０）に作用する引張力によって互いに分離可能であるように前記接続装置（３５０）が調整されている請求項１に記載の引込先端部（３００）。
【請求項３】
前記引込先端部要素（３３０、３４０）がそれぞれ１つの第１の端部（３３１、３４１）と第２の端部（３３２、３４２）とを有しており、かつ前記引込先端部要素（３３０、３４０）の前記第１の端部（３３１、３４１）が第１の接続区間（３１０）を形成し、かつ前記引込先端部要素（３３０、３４０）の前記第２の端部（３３２、３４２）が第２の接続区間（３２０）を形成する請求項１又は２に記載の引込先端部（３００）。
【請求項４】
前記引込先端部要素（３３０、３４０）の第１の前記端部（３３１、３４１）がそれぞれ割り当てられた前記部分被印刷物ウェブ（２ａ、２ｂ）の一方の縦端部区間（２１ａ、２１ｂ）にそれぞれ接続可能であるように該第１の端部が配置されている請求項３に記載の引込先端部（３００）。
【請求項５】
前記引込先端部要素（３３０、３４０）の前記第２の端部（３３２、３４２）がそれぞれ割り当てられた前記被印刷物ウェブ引込配列（１００）の複数の引込装置（１１０、１２０）に接続可能であるように該第２の端部が配置されており、かつ各引込装置（１１０、１２０）が各部分被印刷物ウェブ（２ａ、２ｂ）を引き込むために設けられている請求項３又は４に記載の引込先端部（３００）。
【請求項６】
前記引込先端部要素（３３０、３４０）の前記第１の端部（３３１、３４１）がそれぞれ割り当てられた前記部分被印刷物ウェブ（２ａ、２ｂ）の一方の縦端部区間（２１ａ、２１ｂ）と各引込先端部要素（３３０、３４０）を接続するために各々１つの磁気閉鎖装置（３６０）を有する請求項４又は５に記載の引込先端部（３００）。
【請求項７】
前記接続装置（３５０）が締結装置によって形成されている請求項１から６のいずれか一項に記載の引込先端部（３００）。
【請求項８】
前記接続装置（３５０）が磁気閉鎖装置によって形成されている請求項１から６のいずれか一項に記載の引込先端部（３００）。
【請求項９】
ロール紙輪転印刷機（１）の中へ被印刷物ウェブ（２）を引き込むための被印刷物ウェブ引込配列（１００）と、少なくとも２つの部分被印刷物ウェブ（２ａ、２ｂ）に前記被印刷物ウェブ（２）を分離するためのスリッター（２００）と、前記被印刷物ウェブ（２）の縦端部（２１）に接続可能である第１の接続区間（３１０）及び被印刷物ウェブ引込配列（１００）に接続可能である第２の接続区間（３２０）を備える引込先端部（３００）とを有するロール紙輪転印刷機（１）において、前記被印刷物ウェブ引込配列（１００）が少なくとも２つの部分被印刷物ウェブ（２ａ、２ｂ）の一方を引き込むための第１の引込装置（１１０）と、少なくとも２つの部分被印刷物ウェブ（２ａ、２ｂ）の他方を引き込むための第２の引込装置（１２０）とを有するロール紙輪転印刷機（１）であって、
前記引込先端部（３００）が少なくとも２つの部分被印刷物ウェブ（２ａ、２ｂ）のそれぞれ一方に該部分被印刷物ウェブを引き込むために割り当てられている少なくとも２つの引込先端部要素（３３０、３４０）と、前記引込先端部要素（３３０、３４０）が接続装置（３５０）に作用する、前記部分被印刷物ウェブ（２ａ、２ｂ）の相対運動から相対して生じる所定の引張力によって互いに分離可能であるように前記引込先端部要素（３３０、３４０）を相互に接続する前記接続装置（３５０）とを有することを特徴とするロール紙輪転印刷機。
【請求項１０】
前記両方の部分被印刷物ウェブ（２ａ、２ｂ）のウェブガイド路が前記ロール紙輪転印刷機（１）の中で分離されるとき、前記引込先端部要素（３３０、３４０）がその際に前記接続装置（３５０）に作用する引張力によって互いに分離可能であるように前記接続装置（３５０）が調整されている請求項９に記載のロール紙輪転印刷機（１）。
【請求項１１】
前記第１の引込装置（１１０）が前記ロール紙輪転印刷機（１）の操作側（Ｂ）に配置されており、かつ前記第２の引込装置（１２０）が前記ロール紙輪転印刷機（１）の駆動側（Ａ）に配置されている請求項９又は１０に記載のロール紙輪転印刷機（１）。
【請求項１２】
前記引込先端部要素（３３０、３４０）がそれぞれ１つの第１の端部（３３１、３４１）と、第２の端部（３３２、３４２）とを有し、かつ前記引込先端部要素（３３０、３４０）の前記第１の端部（３３１、３４１）が第１の接続区間（３１０）を形成し、かつ前記引込先端部要素（３３０、３４０）の前記第２の端部（３３２、３４２）が第２の接続区間（３２０）を形成する請求項９から１１のいずれか一項に記載のロール紙輪転印刷機（１）。
【請求項１３】
前記引込先端部要素（３３０、３４０）の前記第１の端部（３３１、３４１）がそれぞれ割り当てられた前記部分被印刷物ウェブ（２ａ、２ｂ）の一方の縦端部区間（２１ａ、２１ｂ）に接続可能であるように該第１の端部が配置されている請求項１２に記載のロール紙輪転印刷機（１）。
【請求項１４】
前記引込先端部要素（３３０、３４０）の前記第２の端部（３３２、３４２）が、それぞれ割り当てられた前記部分被印刷物ウェブ（２ａ、２ｂ）の前記引込装置（１１０、１２０）に接続可能であるように該第２の端部が配置されている請求項１２又は１３に記載のロール紙輪転印刷機（１）。
【請求項１５】
前記引込先端部要素（３３０、３４０）の前記第１の端部（３３１、３４１）がそれぞれ割り当てられた前記部分被印刷物ウェブ（２ａ、２ｂ）の一方の縦端部区間（２１ａ、２１ｂ）と各引込先端部要素（３３０、３４０）を接続するために各々１つの磁気閉鎖装置（３６０）を有する請求項１３又は１４に記載のロール紙輪転印刷機（１）。
【請求項１６】
前記接続装置（３５０）が締結装置によって形成されている請求項９から１５のいずれか一項に記載のロール紙輪転印刷機（１）。
【請求項１７】
前記接続装置（３５０）が磁気閉鎖装置によって形成されている請求項９から１５のいずれか一項に記載のロール紙輪転印刷機（１）。
【請求項１８】
請求項１から８のいずれか一項に記載の引込先端部（３００）の使用下にロール紙輪転印刷機（１）の中へ被印刷物ウェブ（２）を引き込むための方法において、
縦端部（２１）を備え、かつロール紙輪転印刷機（１）の中で少なくとも２つの部分被印刷物ウェブ（２ａ、２ｂ）に分離される被印刷物ウェブ（２）の準備と、
引込先端部（３００）の接続装置（３５０）を用いた引込先端部要素（３３０、３４０）の相互接続と、
少なくとも２つの引込先端部要素（３３０、３４０）がそれぞれ少なくとも２つの部分被印刷物ウェブ（２ａ、２ｂ）の一方に前記部分被印刷物ウェブを引き込むために組み込まれるようにした被印刷物ウェブ（２）の縦端部（２１）と引込先端部（３００）の第１の接続区間（３１０）の接続と、
少なくとも２つの部分被印刷物ウェブ（２ａ、２ｂ）の一方を引き込むためのロール紙輪転印刷機（１）の第１の側（Ｂ）で第１の引込装置（１１０）と、少なくとも２つの部分被印刷物ウェブ（２ａ、２ｂ）の他方を引き込むためにロール紙輪転印刷機（１）の第２の側（Ａ）で第２の引込装置（１２０）と引込先端部（３００）の第２の接続区間（３２０）と、の接続と、
部分被印刷物ウェブ（２ａ、２ｂ）のウェブガイド路が分離される分離位置（ＴＰ）に至るまでのロール紙輪転印刷機（１）の中への被印刷物ウェブ（２）の引込みと、
ウェブ進行方向で分離位置（ＴＰ）の前に配置されたロール紙輪転印刷機（１）のスリッター（２００）を用いて、被印刷物ウェブ（２）の縦端部（２１）のスリッター（２００）到達直後に被印刷物ウェブ（２）がその縦端部（２１）から開始しながら分離されるような部分被印刷物ウェブ（２ａ、２ｂ）への分離と、を有し、
部分被印刷物ウェブ（２ａ、２ｂ）が異なるウェブガイド路を介してロール紙輪転印刷機（１）を通して案内され、その結果、引込先端部要素（３３０、３４０）が接続装置（３５０）に作用する、部分被印刷物ウェブ（２ａ、２ｂ）の異なるウェブガイド路から生ずる所定の引張力によって互いに分離される、互いに分離された部分被印刷物ウェブ（２ａ、２ｂ）のロール紙輪転印刷機（１）の中への再引込みと、を有する、方法。
【考案の詳細な説明】
【技術分野】
【０００１】
本考案は、ロール紙輪転印刷機の中への被印刷物ウェブの引込みと、特にロール紙輪転印刷機の中へ被印刷物ウェブを引き込むための引込先端部と、このような引込先端部を装備したロール紙輪転印刷機と、このような引込先端部の使用下にロール紙輪転印刷機の中へ被印刷物ウェブを引き込むための方法とに関する。
【背景技術】
【０００２】
ロール紙輪転印刷機の中へ被印刷物ウェブを引き込むための通例の引込先端部は、特許文献１から知られており、前記文書の中にターンバーを介して被印刷物ウェブを引き込むための装置が記載されている。図１を参照して特許文献１に記載された装置によって断裁ローラ２と断裁リング３とを備えるスリッター２、３の中にただ１つの被印刷物ウェブ１から生じる部分被印刷物ウェブ１ａ、１ｂが引き続き引き込まれ、部分被印刷物ウェブ１ｂの一方がターンバー１２、１３を介して先へ進む。部分被印刷物ウェブ１ａ、１ｂは２つの独立した引込先端部４、７を用いて各側面枚葉紙チェーンに固定されたロール紙輪転印刷機の中に引き込まれる。前記側面枚葉紙チェーンはガイド部５、１７上へ延伸する。
【０００３】
（図１に示していない）印刷ユニットの中で印刷されたもしくは印刷される被印刷物ウェブ１は、断裁ローラ２を介してターンバー構造体の中に引き込まれ、かつ同時に断裁ローラ２に当接可能の断裁リング３が被印刷物ウェブ１を長手方向に完全に分離するまで切断される。それによって前記被印刷物ウェブ１から２つの部分被印刷物ウェブ１ａ及び１ｂが生じる。
【０００４】
部分被印刷物ウェブ１ａは、引き続き被印刷物ウェブ１のように直線路を進む。ガイド部５の中で進行するローラチェーンによって引っ張られる引込先端部４は、部分被印刷物ウェブ１ａを引き続きその前に被印刷物ウェブ１を引っ張っていたのと同様に引っ張る。しかしながら、そのための前提条件は、前記引込先端部４がその最も幅広の箇所で部分被印刷物ウェブ１ａよりも幅広ではないことであり、それによって該引込先端部は断裁リング３によって切断されないことである。被印刷物ウェブ１はその前端部で、重なり合うカバー部材６が引込先端部４の後端部で被印刷物ウェブ１の前端部を該被印刷物ウェブの半分未満の幅にわたって把持し、かつ磁気的引付けによって前記両方のカバー部材６の間に締め付けるように面取りされている。
【０００５】
被印刷物ウェブ１がターンバー構造体まで新規に引き込まれるとき、断裁リング３が初めに断裁ローラ２から引き離される。部分被印刷物ウェブ１ｂのために設けられた引込先端部７はカバー部材８を有し、前記カバー部材はカバー部材６と同様に永久磁性材料を含み、かつ磁気的引付けによって部分被印刷物ウェブ１ｂの前端部を締め付けることができる。両方のカバー部材８の上部カバー部材は部分被印刷物ウェブ１ｂの引込みの開始前に同様に磁気薄板９の下に「接着」し、他方、下部カバー部材８は部分被印刷物ウェブ１ｂの引込路の下に配設された保持具１０上に、カバー部材８が部分被印刷物ウェブ１ｂの前端部の進入前に、まだ該カバー部材が折り畳まれるほどは強く引き付けられないように載る。他方、上部カバー部材８は、該上部カバー部材が引込先端部７の引張運動の開始時に該上部カバー部材から引き離されるほど小さい磁力でのみ薄板９に付着し、その結果、両方のカバー部材８が折り畳まれる。
【０００６】
センサ１１が被印刷物ウェブ１の進入を記録すると、同時に断裁リング３が断裁ローラ２に当接され、かつ引込先端部７が動かされる。センサ１１が断裁ローラ２へ断裁リング３を当接するための相応する信号を出さず、かつ同時に引込先端部７が動かされている間は、部分被印刷物ウェブ１ａが引込先端部７のカバー部材８の締付領域から断裁リング３に至るまでの長さＬにわたって部分被印刷物ウェブ１ｂから分離されないことによって、部分被印刷物ウェブ１ｂの前端部が引込先端部７のカバー部材８の間に引き込まれることが達成される。経路が部分被印刷物ウェブ１ａ及び１ｂに分離されて初めて両方の部分被印刷物ウェブ１ａ及び１ｂをまだ接続している中間部材が該部分被印刷物ウェブの間で引き離される。
【０００７】
特許文献１に記載され、かつ図１に示された装置は、装置の操作安全性に不利な影響を及ぼし得る幾つかの欠点を有する。第一に引込先端部７の両方のカバー部材８の「自動的」折畳みは、両方のカバー部材８が「自動的」に引込先端部７の引張運動によって折り畳まれず、かつ部分被印刷物ウェブ１ｂが締め付けられないことを確実に排除できないので、引込工程の中に不確実性をもたらす。第二に両方の部分被印刷物ウェブ１ａ、１ｂの分離のために必要な力は一方で長さＬに、かつ他方では被印刷物品質に依存し、それによって前記力を変化させることができる。しかしながら大きすぎる分離力は引込工程に不利な影響を及ぼし得、かつさらにその部分被印刷物ウェブ１ａもしくは１ｂの引込先端部４、７の一方からの離脱を生じ得る。
【特許文献１】独国特許発明第４４０９６９３号明細書
【考案の開示】
【考案が解決しようとする課題】
【０００８】
本考案の基礎に置く課題は、簡単に取扱うことができ、かつ引込工程時により大きい操作安全性を保証するロール紙輪転印刷機の中へ被印刷物ウェブを引き込むための引込先端部を提供することである。さらに本考案の基礎に置く課題は、このような引込先端部を装備したロール紙輪転印刷機と、本考案に係る引込先端部の使用下にロール紙輪転印刷機の中へ被印刷物ウェブを引き込むための方法とを提供することである。
【課題を解決するための手段】
【０００９】
これは請求項１に記載の引込先端部と、請求項９に記載のロール紙輪転印刷機と、請求項１８に記載の方法とによって達成される。本考案の発展的形成はそれぞれ従属請求項に記載されている。
【００１０】
本考案に従ってロール紙輪転印刷機の中へ被印刷物ウェブを引き込むための引込先端部が提供され、被印刷物ウェブはロール紙輪転印刷機のスリッターの中で少なくとも２つの部分被印刷物ウェブに分離され、かつ前記引込先端部は被印刷物ウェブの縦端部に接続可能である第１の接続区間と、ロール紙輪転印刷機の被印刷物ウェブ引込配列に接続可能である第２の接続区間とを有する。本考案に係る引込先端部は、前記引込先端部が少なくとも２つの部分被印刷物ウェブのそれぞれ一方に該部分被印刷物ウェブを引き込むために割り当てられている少なくとも２つの引込先端部要素と、前記引込先端部要素が接続装置に作用する、部分被印刷物ウェブの相対運動から相対して生じる所定の引張力によって互いに分離可能であるように前記引込先端部要素を相互に接続する接続装置とを有することを特徴とする。
【００１１】
本考案の一発展的形成に従って、両方の部分被印刷物ウェブのウェブガイド路がロール紙輪転印刷機の中で分離されるとき、引込先端部要素がその際に接続装置に作用する引張力によって互いに分離可能であるように前記接続装置が調整されている。
【００１２】
本考案に従って引込先端部要素はそれぞれ１つの第１の端部と第２の端部とを有してよく、前記引込先端部要素の第１の端部が第１の接続区間を形成し、かつ前記引込先端部要素の第２の端部が第２の接続区間を形成する。
【００１３】
引込先端部はその第１の接続区間と被印刷物ウェブの縦端部とが接続可能であり、かつその第２の接続区間とに被印刷物ウェブ引込配列とが接続可能であり、両方の引込先端部要素が接続装置を用いて相互に接続されていることによって、被印刷物ウェブもしくは複数の被印刷物ウェブは部分被印刷物ウェブを常に確実にロール紙輪転印刷機の中に引き込むことができる。その際に被印刷物ウェブはその縦端部で開始しながら部分被印刷物ウェブに分離することができ、その結果、部分被印刷物ウェブの分離のために必要な力は接続装置の構成によってのみ決定される。それによって引込工程に対する高い操作安全性と、引込先端部の簡単なハンドリングとが達成される。
【００１４】
本考案の一発展的形成に従って、引込先端部要素の第１の端部は、該第１の端部がそれぞれ割り当てられた部分被印刷物ウェブの一方の縦端部区間にそれぞれ接続可能であるように配置されている。
【００１５】
前記方法により本考案に係る引込先端部の簡単かつ操作安全なハンドリングがさらに有利に支援される。
【００１６】
本考案の一発展的形成に従って、引込先端部要素の第２の端部は、該第２の端部がそれぞれ割り当てられた被印刷物ウェブ引込配列の複数の引込装置に接続可能であるように配置されており、かつ各引込装置は各部分被印刷物ウェブを引き込むために設けられている。
【００１７】
本考案の前記実施態様によって、各引込先端部要素もしくは各部分被印刷物ウェブに簡単かつより操作安全な方法で部分被印刷物ウェブの引込みをその所望のウェブガイド路に沿って実現する引込装置を組み込むことができる。この引込装置は、特許文献１に記載されているように、各引込先端部要素の連結及び引張りのための引張チェーンと、各ウェブガイド路に沿って引張チェーンを案内するためのガイド部とを有することができる。
【００１８】
本考案の一発展的形成に従って、引込先端部要素の第１の端部はそれぞれ割り当てられた部分被印刷物ウェブの一方の縦端部区間と各引込先端部要素を接続するために各々１つの磁気閉鎖装置を有する。
【００１９】
それによって引込先端部要素は迅速、確実かつ再使用可能に部分被印刷物ウェブの縦端部区間に接続することができ、その結果、引込先端部のための調整時間及び費用を節約することができる。
【００２０】
本考案の発展的形成に従って、接続装置は締結装置又は磁気閉鎖装置によって形成されている。
【００２１】
本考案の前記実施態様によって、簡単かつ迅速な方法で２つの引込先端部要素を相互に接続することが可能であり、引込先端部要素の分離のために必要な力は締結装置もしくは磁気閉鎖装置の実施態様によって確実にあらかじめ指定することができる。さらに引込先端部要素は実施された部分被印刷物ウェブの引込み後に締結装置もしくは磁気閉鎖装置を用いて再び連結することができ、それによって本考案に係る引込先端部が再使用可能である。
【００２２】
本考案に従って、ロール紙輪転印刷機は、ロール紙輪転印刷機の中へ被印刷物ウェブを引き込むための被印刷物ウェブ引込配列と、少なくとも２つの部分被印刷物ウェブに被印刷物ウェブを分離するためのスリッターと、被印刷物ウェブの縦端部に接続可能である第１の接続区間及び被印刷物ウェブ引込配列に接続可能である第２の接続区間を備える引込先端部とを有する。被印刷物ウェブ引込配列は、少なくとも２つの部分被印刷物ウェブの一方を引き込むための第１の引込装置と、少なくとも２つの部分被印刷物ウェブの他方を引き込むための第２の引込装置とを有する。ロール紙輪転印刷機は、引込先端部が少なくとも２つの部分被印刷物ウェブのそれぞれ一方に該部分被印刷物ウェブを引き込むために割り当てられている少なくとも２つの引込先端部要素と、引込先端部要素が接続装置に作用する、部分被印刷物ウェブの相対運動から相対して生じる所定の引張力によって互いに分離可能であるように引込先端部要素を相互に接続する接続装置とを有することを特徴とする。
【００２３】
本考案の一発展的形成に従って、両方の部分被印刷物ウェブのウェブガイド路がロール紙輪転印刷機の中で分離されるとき、引込先端部要素がその際に接続装置に作用する引張力によって互いに分離可能であるように接続装置が調整されている。
【００２４】
本考案の一発展的形成に従って、第１の引込装置はロール紙輪転印刷機の操作側に配置されており、かつ第２の引込装置はロール紙輪転印刷機の駆動側に配置されている。
【００２５】
前記方法により２つの部分被印刷物ウェブは簡単かつ確実に異なるウェブガイド路に沿ってロール紙輪転印刷機の中に引き込むことができる。
【００２６】
本考案の一発展的形成に従って、引込先端部要素はそれぞれ１つの第１の端部と第２の端部とを有し、前記引込先端部要素の第１の端部が第１の接続区間を形成し、かつ前記引込先端部要素の第２の端部が第２の接続区間を形成する。
【００２７】
引込先端部要素がその第１の端部で被印刷物ウェブの縦端部に接続可能であり、かつその第２の端部でそれぞれ引込装置の一方に接続可能であり、前記両方の引込先端部要素が接続装置を用いて相互に接続されていることによって、被印刷物ウェブもしくは複数の被印刷物ウェブは部分被印刷物ウェブを常に確実にロール紙輪転印刷機の中に引き込むことができる。その際に被印刷物ウェブはその縦端部で開始しながら部分被印刷物ウェブに分離することができ、その結果、部分被印刷物ウェブの分離のために必要な力が接続装置の構成によってのみ決定される。それによって引込工程に対する高い操作安全性と、ロール紙輪転印刷機の簡単なハンドリングとが達成される。
【００２８】
本考案の一発展的形成に従って、引込先端部要素の第１の端部は、該第１の端部がそれぞれ割り当てられた部分被印刷物ウェブの一方のそれぞれ縦端部区間に接続可能であるように配置されている。
【００２９】
前記方法により、本考案に係るロール紙輪転印刷機の簡単かつ操作安全なハンドリングがさらに有利に支援される。
【００３０】
本考案の一発展的形成に従って、引込先端部要素の第２の端部は、該第２の端部がそれぞれ割り当てられた部分被印刷物ウェブの引込装置に接続可能であるように配置されている。
【００３１】
本考案の前記実施態様によって、各引込先端部要素もしくは各部分被印刷物ウェブに簡単かつより操作安全な方法で部分被印刷物ウェブの引込みをその所望のウェブガイド路に沿って実現する引込装置を組み込むことができる。この引込装置は、特許文献１に記載されているように、各引込先端部要素の連結及び引張りのための引張チェーンと、各ウェブガイド路に沿って引張チェーンを案内するためのガイド部とを有することができる。
【００３２】
本考案の一発展的形成に従って、引込先端部要素の第１の端部はそれぞれ割り当てられた部分被印刷物ウェブの一方の縦端部区間と各引込先端部要素を接続するために各々１つの磁気閉鎖装置を有する。
【００３３】
それによって引込先端部要素は迅速、確実かつ再使用可能に部分被印刷物ウェブの縦端部区間に接続することができ、その結果、引込先端部のための調整時間及び費用を節約することができる。
【００３４】
本考案の発展的形成に従って、接続装置は締結装置又は磁気閉鎖装置によって形成されている。
【００３５】
本考案に係るロール紙輪転印刷機の前記実施態様によって、簡単かつ迅速な方法で２つの引込先端部要素を相互に接続することが可能であり、前記引込先端部要素の分離のために必要な力は締結装置もしくは磁気閉鎖装置の態様によって確実にあらかじめ指定することができる。さらに引込先端部要素は実施された部分被印刷物ウェブの引込み後に締結装置もしくは磁気閉鎖装置を用いて再び連結することができ、それによって本考案に係る引込先端部が再使用可能である。
【００３６】
本考案に従って、前記実施態様の１つによる引込先端部の使用下にロール紙輪転印刷機の中へ被印刷物ウェブを引き込むための方法は、縦端部を備え、かつロール紙輪転印刷機の中で少なくとも２つの部分被印刷物ウェブに分離される被印刷物ウェブの準備ステップと、引込先端部の接続装置を用いた引込先端部要素の相互接続ステップと、少なくとも２つの引込先端部要素がそれぞれ少なくとも２つの部分被印刷物ウェブの一方に前記部分被印刷物ウェブを引き込むために組み込まれるようにした被印刷物ウェブの縦端部と引込先端部の第１の接続区間の接続ステップと、少なくとも２つの部分被印刷物ウェブの一方を引き込むためのロール紙輪転印刷機の第１の側の第１の引込装置と、の接続ステップ及び少なくとも２つの部分被印刷物ウェブの他方を引き込むためのロール紙輪転印刷機の第２の側の第２の引込装置と引込先端部の第２の接続区間の接続ステップと、部分被印刷物ウェブのウェブガイド路が分離される分離位置に至るまでロール紙輪転印刷機の中への被印刷物ウェブの引込ステップと、被印刷物ウェブがその縦端部から開始しながら分離されるように、被印刷物ウェブの縦端部がスリッターに到達した直後にウェブ進行方向に分離位置の前に配置されたロール紙輪転印刷機のスリッターを用いて部分被印刷物ウェブへ被印刷物ウェブを分離するステップと、部分被印刷物ウェブが異なるウェブガイド路を介してロール紙輪転印刷機を通して案内され、その結果、引込先端部要素が接続装置に作用する、部分被印刷物ウェブの異なるウェブガイド路から生ずる所定の引張力によって互いに分離される、互いに分離された部分被印刷物ウェブのロール紙輪転印刷機の中への再引込ステップと、を有する。
【００３７】
引込先端部要素がその第１の端部で被印刷物ウェブの縦端部に接続されており、かつその第２の端部でそれぞれ引込装置の一方に接続されており、前記両方の引込先端部要素が接続装置を用いて互いに接続されていることによって、被印刷物ウェブもしくは複数の被印刷物ウェブは部分被印刷物ウェブを常に確実にロール紙輪転印刷機の中に引き込むことができる。その際に本考案により被印刷物ウェブはその縦端部で開始しながら部分被印刷物ウェブに分離することができ、その結果、部分被印刷物ウェブの分離のために必要な力が接続装置の構成によってのみ決定される。それによって引込工程に対する高い操作安全性と、引込先端部もしくはロール紙輪転印刷機の簡単なハンドリングとが達成される。
【００３８】
別の言葉を用いれば、ロール紙輪転印刷機は（少なくとも方向転換ユニットの前の引張ローラから）ロール紙輪転印刷機の操作側に１つの引込装置と、駆動側に１つの引込装置とを有する。引込先端部は分割型であり、かつ中心に引き開け可能の、再び閉鎖可能の閉鎖装置（好ましくは締結装置又は磁気閉鎖装置）によって拘束される。切断カッタは引込先端部の通過後に被印刷物ウェブ上に載る。直線ライン（方向転換されない部分被印刷物ウェブ）及び方向転換ライン（方向転換される部分被印刷物ウェブ）の経路が分離されると、直ちに閉鎖装置が引き開けられ、かつ被印刷物ウェブの２半分が引き込まれる。引込工程の終了後に引込先端部の２半分が再び連結される。
【００３９】
したがって、本考案に係るロール紙輪転印刷機により、方向転換ラインも操作安全な方法で自動的に引き込むことができ、引込工程を中断する必要がなく、かつ方向転換ラインを場合により手で繰り入れる必要がない。これは特に垂直の外向きのロール紙輪転印刷機で有利であり、かつ生産準備のための時間が明らかに減少する。
【００４０】
以下、本考案は一実施形態を利用して、かつ添付の図を参照してより詳細に説明する。
【考案を実施するための最良の形態】
【００４１】
以下、図２〜図６を参照して本考案の実施態様を詳細に説明する。
【００４２】
特に図２及び図５に示したように、（図２に完全に示していない）本考案に係るロール紙輪転印刷機１（以下「印刷機」と呼ぶ）は、印刷機１の中へ被印刷物ウェブ２を引き込むための被印刷物ウェブ引込配列１００と、被印刷物ウェブ２を２つの部分被印刷物ウェブ２ａ、２ｂに分離するためのスリッター２００（図５に示す）と、被印刷物ウェブ２の縦端部２１に接続された第１の接続区間３１０及び被印刷物ウェブ引込配列１００に接続された第２の接続区間３２０を備える引込先端部３００とを有する。被印刷物ウェブ引込配列１００は一方の部分被印刷物ウェブ２ａを引き込むための第１の引込装置１１０と、他方の部分被印刷物ウェブ２ｂを引き込むための第２の引込装置１２０とを有する。
【００４３】
特に図２、図３及び図４に示したように、引込先端部３００は２つの引込先端部要素３３０及び３４０を有し、部分被印刷物ウェブ２ａの引込先端部要素３３０が該部分被印刷物ウェブの引込みのために組み込まれており、かつ部分被印刷物ウェブ２ｂの引込先端部要素３４０が該部分被印刷物ウェブの引込みのために組み込まれており、かつ引込先端部要素３３０、３４０が接続装置３５０に作用する、部分被印刷物ウェブ２ａ、２ｂの相対運動から相対して生じる所定の引張力によって互いに分離可能であるように、引込先端部要素３３０、３４０を相互に接続する接続装置３５０を有する。
【００４４】
引込先端部要素３３０、３４０はそれぞれ平坦かつ可撓性のプラスチックテープとして形成されている。
【００４５】
本考案の前記実施態様に従って、接続装置３５０は特に、両方の部分被印刷物ウェブ２ａ、２ｂのウェブガイド路（図５参照）が印刷機１の中で分離される場合、引込先端部要素３３０、３４０がその際に接続装置３５０に作用する引張力によって互いに分離可能であるように調整されている。別の言葉を用いれば、接続装置３５０は、部分被印刷物ウェブ２ａが印刷機１の中に設けられたターンバー４１０、４２０の配列を利用して部分被印刷物ウェブ２ｂへ向けられる（図５参照）とき、引込先端部要素３３０、３４０がその際に接続装置３５０に作用する引張力によって互いに分離されるように構成されている。
【００４６】
本考案の前記実施態様に従って、接続装置３５０は締結装置によって形成されている。別の言葉を用いれば、引込先端部要素３３０は片側に鉤状要素を具備した接続プレート３５１を有し、かつ引込先端部要素３４０は片側にチューブ要素を具備した接続プレート３５２を有する。前記鉤状要素及びチューブ要素は、これらが対向するように接続プレート３５１及び３５２の側面に取り付けられたそれぞれナイロンテープに形成されている。引込先端部要素３３０、３４０の相互接続時に両方の接続プレート３５１、３５２は図２に示したように上下に置かれ、その結果、鉤状要素がチューブ要素に係合する。
【００４７】
ナイロンテープの平面寸法及び鉤状要素とチューブ要素の形成は、部分被印刷物ウェブ２ａが印刷機１の中に設けられたターンバー４１０、４２０の配列を用いて部分被印刷物ウェブ２ｂへ向けられるとき、ナイロンテープもしくは接続プレート３５１、３５２がその際に接続プレート３５１、３５２に作用する引張力によって互いに分離されるように選択される。
【００４８】
特に図３及び図４に示したように、引込先端部要素３３０及び３４０はそれぞれ１つの第１の端部３３１もしくは３４１及び第２の端部３３２もしくは３４２を有し、引込先端部要素３３０、３４０の第１の端部３３１、３４１が第１の接続区間３１０を形成し、かつ引込先端部要素３３０、３４０の第２の端部３３２、３４２が第２の接続区間３２０を形成する。
【００４９】
特に図２に示したように、引込先端部要素３３０、３４０の第１の端部３３１、３４１は、これらがそれぞれ割り当てられた部分被印刷物ウェブ２ａ及び２ｂの一方のそれぞれ縦端部区間２１ａもしくは２１ｂに接続可能であるように配置されている。
【００５０】
本考案の前記実施態様に従って、引込先端部要素３３０及び３４０の第１の端部３３１、３４１はそれぞれ割り当てられた部分被印刷物ウェブ２ａもしくは２ｂの縦端部区間２１ａもしくは２１ｂと各引込先端部要素３３０及び３４０を接続するためにそれぞれ１つの磁気閉鎖装置３６０を有する。
【００５１】
磁気閉鎖装置３６０は引込先端部要素３３０、３４０の各第１の端部３３１、３４１と、各カバープレート３６１とによって形成されており、第１の端部３３１、３４１もカバープレート３６１も永久磁石であり、その結果、両者が相互に磁気的に引き付けられる。部分被印刷物ウェブ２ａ、２ｂの縦端部区間２１ａ、２１ｂと第１の端部３３１、３４１の接続時に第１の端部３３１、３４１は図２に示したように縦端部区間２１ａ、２１ｂの一方の側に載置され、かつカバープレート３６１は縦端部区間２１ａ、２１ｂの他方の側に載置される。それによって各縦端部区間２１ａ、２１ｂは第１の端部３３１、３４１とカバープレート３６１との間に配置されており、それぞれ第１の端部３３１、３４１及びカバープレート３６１が磁気的に引き付けられ、かつそれによって各縦端部区間２１ａ、２１ｂがその間に締め付けられる。
【００５２】
さらに図２に示したように、第１の引込装置１１０は印刷機１の操作側Bに配置されており、かつ引込先端部要素３３０の連結及び引張りのための引張チェーン１１１と、部分被印刷物ウェブ２ａのウェブガイド路に沿って引張チェーン１１１を案内するためのガイド部１１２とを有する。第２の引込装置１２０は印刷機１の駆動側Ａに配置されており、かつ引込先端部要素３２０の連結及び引張りのための引張チェーン１２１と、部分被印刷物ウェブ２ｂのウェブガイド路に沿って引張チェーン１２１を案内するためのガイド部１２２とを有する。
【００５３】
図３及び図４に示したように、引込先端部要素３３０、３４０はその第２の端部３３２、３４２に引張チェーン１１１もしくは１２１と連結するためにそれぞれ１つの連結装置３７０を有する。本考案の前記実施態様に従って、連結装置３７０は、引張チェーン１１１、１２１の中に掛留可能である球体によって形成されている。
【００５４】
ここで図２、図５及び図６を参照して、本考案に係る引込先端部３００の使用下に印刷機の中へ被印刷物ウェブ１を引き込むための方法の本考案による実施態様を説明する。
【００５５】
印刷機１の中で２つの部分被印刷物ウェブ２ａ、２ｂに分離される新規の被印刷物ウェブ２が引き込まれるとき、ステップＳ１で新規の被印刷物ウェブ２が準備される。
【００５６】
ステップＳ２で引込先端部要素３３０、３４０が引込先端部３００の接続装置３５０を用いて互いに接続される。
【００５７】
ステップＳ３で引込先端部３００の第１の接続区間３１０が被印刷物ウェブ２の縦端部２１に接続され、その結果、両方の引込先端部要素３３０、３４０が両方の部分被印刷物ウェブ２ａ、２ｂのそれぞれ一方に該部分被印刷物ウェブの引込みのために割り当てられている。別の言葉を用いれば、ステップＳ３で引込先端部要素３３０の第１の端部３３１は、被印刷物ウェブ２の縦端部区間２１ａに接続され、かつ引込先端部要素３４０の第１の端部３４１は被印刷物ウェブ２の縦端部区間２１ｂに接続される。
【００５８】
ステップＳ４で引込先端部３００の第２の接続区間３２０は部分被印刷物ウェブ２ａを引き込むために印刷機１の操作側Ｂで第１の引込装置１１０に、かつ部分被印刷物ウェブ２ｂを引き込むために印刷機１の駆動側で第２の引込装置１２０に接続されている。別の言葉を用いれば、ステップＳ４で連結装置３７０は引込先端部要素３３０の第２の端部３３２で第１の引込装置１１０の引張チェーン１１１に連結され、かつ連結装置３７０は引込先端部要素３４０の第２の端部３４２で第２の引込装置１２０の引張チェーン１２２に連結されている。
【００５９】
ステップＳ５で被印刷物ウェブ２は分離位置ＴＰに至るまで印刷機１の中に引き込まれ、そこで部分被印刷物ウェブ２ａ、２ｂのウェブガイド路が分離される（図５参照）。より正確に言えば、引込先端部３００は、引込先端部要素３３０、３４０がまだ部分被印刷物ウェブ２ａ、２ｂの異なるウェブガイド路から生じる引張力によって分離されない限り印刷機１の中に引き込まれる。
【００６０】
ステップＳ６で被印刷物ウェブ２はウェブ進行方向で分離位置ＴＰの前に配置された印刷機１のスリッター２００を用いて、被印刷物ウェブ２の縦端部２１がスリッター２００に達すると直ちに被印刷物ウェブ２がその縦端部２１から開始しながら分離されるよう部分被印刷物ウェブ２ａ、２ｂに分離される。
【００６１】
ステップＳ７で互いに分離された部分被印刷物ウェブ２ａ、２ｂは引き続き印刷機１の中に引き込まれ、部分被印刷物ウェブ２ａ、２ｂは異なるウェブガイド路を介して印刷機１を通して案内され、その結果、引込先端部要素３３０、３４０が接続装置３５０に作用する、部分被印刷物ウェブ２ａ、２ｂの異なるウェブガイド路から生じる所定の引張力によって互いに分離される。
【００６２】
別の言葉を用いれば、本考案の前記実施態様に従ってステップＳ７で部分被印刷物ウェブ２ａがターンバー４１０、４２０を用いて部分被印刷物ウェブ２ｂに向けられ、ウェブ進行方向に第１のターンバー４１０に引込先端部３００の接続装置３５０が分離される。ここで互いに分離された引込先端部要素３３０、３４０によって両方の部分被印刷物ウェブ２ａ、２ｂは互いに独立して引き続き印刷機１の中に引き込むことができる。
【００６３】
本考案の上記説明から明らかなように、本考案に係る引込先端部を用いて被印刷物ウェブを簡単な操作安全な方法でロール紙輪転印刷機１の中に引き込むことが可能である。
【００６４】
両方の互いに接続された本考案による引込先端部３００の引込先端部要素３３０、３４０が最初から被印刷物ウェブ２に接続されていることによって、被印刷物ウェブ２でより良い力分布が可能になるので、より均一かつより確実な被印刷物ウェブ２の引込みが保証される。
【００６５】
被印刷物ウェブ２が分離位置ＴＰの前でスリッター２００を用いてその縦端部２１の始端で分離されることによって、引込先端部要素３３０、３４０の分離のために必要な引張力が接続装置３５０の構成によってのみ決定され、かつそのために規定して適合することができる。別の言葉を用いれば、引込先端部要素３３０、３４０の分離のために必要な引張力は大きい変動を受けず、それによって引込工程が操作安全である。
【図面の簡単な説明】
【００６６】
【図１】先行技術によるターンバーを介した被印刷物ウェブを引き込むための装置である。
【図２】本考案の一実施態様による引込先端部が被印刷物ウェブ引込配列と被印刷物ウェブとに接続された本考案に係るロール紙輪転印刷機の模式部分図である。
【図３】本考案に係る引込先端部の第１の引込先端部要素の模式図である。
【図４】本考案に係る引込先端部の第２の引込先端部要素の模式図である。
【図５】本考案に係る引込先端部を用いる被印刷物ウェブの引込み時に被印刷物ウェブが２つの部分被印刷物ウェブに分離され、前記両方の部分被印刷物ウェブの一方がターンバー配列を介して両方の部分被印刷物ウェブの他方へ向けられることを示した模式図である。
【図６】ロール紙輪転印刷機の中へ被印刷物ウェブを引き込むための本考案に係る方法の流れ図である。
【符号の説明】
【００６７】
１    ロール紙輪転印刷機（略:印刷機）
２    被印刷物ウェブ
２ａ    部分被印刷物ウェブ
２ｂ    部分被印刷物ウェブ
２１    縦端部
２１ａ    縦端部区間
２１ｂ    縦端部区間
１００    被印刷物ウェブ引込配列
１１０    第１の引込装置
１１１    引張チェーン
１１２    ガイド部
１２０    第２の引込装置
１２１    引張チェーン
１２２    ガイド部
２００    スリッター
３００    引込先端部
３１０    第１の接続区間
３２０    第２の接続区間
３３０    引込先端部要素
３３１    第１の端部
３３２    第２の端部
３４０    引込先端部要素
３４１    第１の端部
３４２    第２の端部
３５０    接続装置
３５１    接続プレート
３５２    接続プレート
３６０    磁気閉鎖装置
３６１    カバープレート
３７０    連結装置
４１０    ターンバー
４２０    ターンバー
【図１】
0003148153.tif 000003
【図２】
0003148153.tif 000004
【図３】
0003148153.tif 000005
【図４】
0003148153.tif 000006
【図５】
0003148153.tif 000007
【図６】
0003148153.tif 000008
【手続補正書】
【提出日】平成20年11月17日(2008.11.17)
【手続補正１】
【補正対象書類名】実用新案登録請求の範囲
【補正対象項目名】全文
【補正方法】変更
【補正の内容】
【実用新案登録請求の範囲】
【請求項１】
ロール紙輪転印刷機（１）の中へ被印刷物ウェブ（２）を引き込むための引込先端部（３００）において、前記被印刷物ウェブ（２）が前記ロール紙輪転印刷機（１）のスリッター（２００）の中で少なくとも２つの部分被印刷物ウェブ（２ａ、２ｂ）に分離され、前記引込先端部（３００）が前記被印刷物ウェブ（２）の縦端部（２１）に接続可能である第１の接続区間（３１０）と、前記ロール紙輪転印刷機（１）の被印刷物ウェブ引込配列（１００）に接続可能である第２の接続区間（３２０）とを有する引込先端部であって、
前記引込先端部（３００）が少なくとも２つの部分被印刷物ウェブ（２ａ、２ｂ）のそれぞれ一方に該部分被印刷物ウェブを引き込むために割り当てられている少なくとも２つの引込先端部要素（３３０、３４０）と、前記引込先端部要素（３３０、３４０）が接続装置（３５０）に作用する、前記部分被印刷物ウェブ（２ａ、２ｂ）の相対運動から相対して生じる所定の引張力によって互いに分離可能であるように前記引込先端部要素（３３０、３４０）を相互に接続する接続装置（３５０）とを有することを特徴とする引込先端部。
【請求項２】
両方の部分被印刷物ウェブ（２ａ、２ｂ）のウェブガイド路が前記ロール紙輪転印刷機（１）の中で分離されるとき、前記引込先端部要素（３３０、３４０）がその際に前記接続装置（３５０）に作用する引張力によって互いに分離可能であるように前記接続装置（３５０）が調整されている請求項１に記載の引込先端部（３００）。
【請求項３】
前記引込先端部要素（３３０、３４０）がそれぞれ１つの第１の端部（３３１、３４１）と第２の端部（３３２、３４２）とを有しており、かつ前記引込先端部要素（３３０、３４０）の前記第１の端部（３３１、３４１）が第１の接続区間（３１０）を形成し、かつ前記引込先端部要素（３３０、３４０）の前記第２の端部（３３２、３４２）が第２の接続区間（３２０）を形成する請求項１又は２に記載の引込先端部（３００）。
【請求項４】
前記引込先端部要素（３３０、３４０）の第１の前記端部（３３１、３４１）がそれぞれ割り当てられた前記部分被印刷物ウェブ（２ａ、２ｂ）の一方の縦端部区間（２１ａ、２１ｂ）にそれぞれ接続可能であるように該第１の端部が配置されている請求項３に記載の引込先端部（３００）。
【請求項５】
前記引込先端部要素（３３０、３４０）の前記第２の端部（３３２、３４２）がそれぞれ割り当てられた前記被印刷物ウェブ引込配列（１００）の複数の引込装置（１１０、１２０）に接続可能であるように該第２の端部が配置されており、かつ各引込装置（１１０、１２０）が各部分被印刷物ウェブ（２ａ、２ｂ）を引き込むために設けられている請求項３又は４に記載の引込先端部（３００）。
【請求項６】
前記引込先端部要素（３３０、３４０）の前記第１の端部（３３１、３４１）がそれぞれ割り当てられた前記部分被印刷物ウェブ（２ａ、２ｂ）の一方の縦端部区間（２１ａ、２１ｂ）と各引込先端部要素（３３０、３４０）を接続するために各々１つの磁気閉鎖装置（３６０）を有する請求項４又は５に記載の引込先端部（３００）。
【請求項７】
前記接続装置（３５０）が締結装置によって形成されている請求項１から６のいずれか一項に記載の引込先端部（３００）。
【請求項８】
前記接続装置（３５０）が磁気閉鎖装置によって形成されている請求項１から６のいずれか一項に記載の引込先端部（３００）。
【請求項９】
ロール紙輪転印刷機（１）の中へ被印刷物ウェブ（２）を引き込むための被印刷物ウェブ引込配列（１００）と、少なくとも２つの部分被印刷物ウェブ（２ａ、２ｂ）に前記被印刷物ウェブ（２）を分離するためのスリッター（２００）と、前記被印刷物ウェブ（２）の縦端部（２１）に接続可能である第１の接続区間（３１０）及び被印刷物ウェブ引込配列（１００）に接続可能である第２の接続区間（３２０）を備える引込先端部（３００）とを有するロール紙輪転印刷機（１）において、前記被印刷物ウェブ引込配列（１００）が少なくとも２つの部分被印刷物ウェブ（２ａ、２ｂ）の一方を引き込むための第１の引込装置（１１０）と、少なくとも２つの部分被印刷物ウェブ（２ａ、２ｂ）の他方を引き込むための第２の引込装置（１２０）とを有するロール紙輪転印刷機（１）であって、
前記引込先端部（３００）が少なくとも２つの部分被印刷物ウェブ（２ａ、２ｂ）のそれぞれ一方に該部分被印刷物ウェブを引き込むために割り当てられている少なくとも２つの引込先端部要素（３３０、３４０）と、前記引込先端部要素（３３０、３４０）が接続装置（３５０）に作用する、前記部分被印刷物ウェブ（２ａ、２ｂ）の相対運動から相対して生じる所定の引張力によって互いに分離可能であるように前記引込先端部要素（３３０、３４０）を相互に接続する前記接続装置（３５０）とを有することを特徴とするロール紙輪転印刷機。
【請求項１０】
前記両方の部分被印刷物ウェブ（２ａ、２ｂ）のウェブガイド路が前記ロール紙輪転印刷機（１）の中で分離されるとき、前記引込先端部要素（３３０、３４０）がその際に前記接続装置（３５０）に作用する引張力によって互いに分離可能であるように前記接続装置（３５０）が調整されている請求項９に記載のロール紙輪転印刷機（１）。
【請求項１１】
前記第１の引込装置（１１０）が前記ロール紙輪転印刷機（１）の操作側（Ｂ）に配置されており、かつ前記第２の引込装置（１２０）が前記ロール紙輪転印刷機（１）の駆動側（Ａ）に配置されている請求項９又は１０に記載のロール紙輪転印刷機（１）。
【請求項１２】
前記引込先端部要素（３３０、３４０）がそれぞれ１つの第１の端部（３３１、３４１）と、第２の端部（３３２、３４２）とを有し、かつ前記引込先端部要素（３３０、３４０）の前記第１の端部（３３１、３４１）が第１の接続区間（３１０）を形成し、かつ前記引込先端部要素（３３０、３４０）の前記第２の端部（３３２、３４２）が第２の接続区間（３２０）を形成する請求項９から１１のいずれか一項に記載のロール紙輪転印刷機（１）。
【請求項１３】
前記引込先端部要素（３３０、３４０）の前記第１の端部（３３１、３４１）がそれぞれ割り当てられた前記部分被印刷物ウェブ（２ａ、２ｂ）の一方の縦端部区間（２１ａ、２１ｂ）に接続可能であるように該第１の端部が配置されている請求項１２に記載のロール紙輪転印刷機（１）。
【請求項１４】
前記引込先端部要素（３３０、３４０）の前記第２の端部（３３２、３４２）が、それぞれ割り当てられた前記部分被印刷物ウェブ（２ａ、２ｂ）の前記引込装置（１１０、１２０）に接続可能であるように該第２の端部が配置されている請求項１２又は１３に記載のロール紙輪転印刷機（１）。
【請求項１５】
前記引込先端部要素（３３０、３４０）の前記第１の端部（３３１、３４１）がそれぞれ割り当てられた前記部分被印刷物ウェブ（２ａ、２ｂ）の一方の縦端部区間（２１ａ、２１ｂ）と各引込先端部要素（３３０、３４０）を接続するために各々１つの磁気閉鎖装置（３６０）を有する請求項１３又は１４に記載のロール紙輪転印刷機（１）。
【請求項１６】
前記接続装置（３５０）が締結装置によって形成されている請求項９から１５のいずれか一項に記載のロール紙輪転印刷機（１）。
【請求項１７】
前記接続装置（３５０）が磁気閉鎖装置によって形成されている請求項９から１５のいずれか一項に記載のロール紙輪転印刷機（１）。